(57)【要約】      （修正有）【課題】ゲートウェイ配下にある複数の無線端末が、無線端末単位でサーバへ割当てられる無線端末接続管理方法及びその管理装置を提供する。【解決手段】無線端末接続管理システム１は、ネットワークを構築する複数のサーバ２の少なくとも１つに接続され、下位の複数の無線端末４に接続可能なゲートウェイ３を備え、該ゲートウェイにおけるアクセスポイント機能の一部をサーバで仮想化するように管理し、１つの物理的なアクセスポイント配下に存在する無線端末に対して、無線端末単位でサーバに割り当てて接続する。【選択図】図１
2018042135.tif 000002
【特許請求の範囲】
【請求項１】
ネットワークを構築する複数のサーバの少なくとも１つに接続され、下位の複数の無線端末に接続可能なゲートウェイを備え、該ゲートウェイにおけるアクセスポイント機能の一部を前記サーバへ仮想化する管理方法であって、
１つの物理的なアクセスポイント配下に存在する前記無線端末に対して、無線端末単位で前記サーバに割り当てて接続する無線端末接続管理方法。
【請求項２】
前記複数のサーバのうちの第１のサーバに接続するゲートウェイが、利用する前記無線端末に関する信号を、前記物理的なアクセスポイントで行われる通信からフックした際に、前記物理的なアクセスポイントの他に、他のサーバに接続可能な仮想化したアクセスポイントを設け、前記他の無線端末への接続を無線端末単位で前記他のサーバに割り当てて接続する、請求項１に記載の無線端末接続管理方法。
【請求項３】
前記複数のサーバのうちの第１のサーバが利用したい無線端末に対し、利用するタイミングに合わせて、前記物理的なアクセスポイントで情報の通信を時分割で切断又は接続を行う、請求項１に記載の無線端末接続管理方法。
【請求項４】
複数のサーバにより構築されるネットワークに接続する第１のサーバと、
前記第１のサーバに接続され、１つの物理的なアクセスポイントを有するゲートウェイと、
前記ゲートウェイの前記物理的なアクセスポイント配下に存在し、固有の情報を発信する複数の無線端末と、を備え、さらに、
前記第１のサーバ内に格納されるアプリケーションによって指定された通信先となる無線端末を申告する申告部と、
前記申告を受けて、前記指定された無線端末を識別するため通信信号をフックする管理部と、
前記管理部によりフックされた通信信号を受け取った際に、前記複数の無線端末から送信される通信信号を振り分けて、新たな仮想的なアクセスポイントとなる仮想無線アンテナ部を設けて、前記複数のサーバのうちの何れかのサーバに接続する振り分け部と、を具備し、
前記ゲートウェイによる前記複数の無線端末への接続が、無線端末単位で割り当てて接続する無線端末接続管理システム。
【請求項５】
複数のサーバにより構築されるネットワークに接続する第１のサーバと、
前記複数のサーバに接続可能で、１つの物理的なアクセスポイントを有するゲートウェイと、
前記ゲートウェイの前記物理的なアクセスポイント配下に存在し、固有の情報を発信する複数の無線端末と、を備え、さらに、
前記第１のサーバ内に格納されるアプリケーションによって指定された無線端末を申告する申告部と、
前記ゲートウェイ内に設けられ、前記第１のサーバを含む複数の無線端末の何れかに接続し、前記固有の情報を送信する通信部と、
前記ゲートウェイ内に設けられ、前記申告部から受けた前記指定された無線端末を通知する管理部と、
前記複数の無線端末からの通信信号を受けた際に、前記物理的なアクセスポイントを時分割で利用して、前記複数のサーバへ切り替えて送信する接続先切替部と、を具備し、
前記ゲートウェイによる前記複数の無線端末への接続が、無線端末単位で割り当てて接続する無線端末接続管理システム。
【請求項６】
前記請求項１乃至３の何れか１つに対応する無線端末管理方法をコンピュータに実行させることを特徴とするコンピュータプログラム。
【発明の詳細な説明】
【技術分野】
【０００１】
本発明は、無線端末を備え、アクセスポイントを形成するゲートウェイを用いて、無線端末毎に各サーバを割り当てる無線端末接続管理方法及びその管理システムに関する。
【背景技術】
【０００２】
近年、スマートフォンに代表されるユーザ端末が普及し、ユーザによるアプリケーションの利用頻度が増加している。従前からの情報通信のみならず、家電機器等のハードウェアとアプリケーションを連携させることで、ユーザにとって、より利便性の高いサービスが提案又は開始されている。例えば、Android/iOSを代表とするスマートフォンとBlutoothを搭載した水分量計を連携させることで、自宅に設置した植木の水分が不足した際に、ユーザのスマートフォンへその旨の通知を送信する等の新たなサービスの提供が可能となる。
【０００３】
このサービスは、通信経路の一部に無線通信が含まれているため、その無線出力や種別に応じて接続可能な距離に制約が生じる。例えば、Blutoothは、Wi-Fi等に比べると省電力志向であるため、一般的には、１０ｍ程度が通信可能な距離となる。そのため、各種機器に搭載された無線端末とユーザ端末を連携したサービスにおいても同様に距離的制約が生じる。
【０００４】
この距離的制約を解消するものとして、例えば、非特許文献１では、無線端末とユーザ端末（サーバ）の間に、ＵＳＢドングル無線アンテナを搭載したゲートウェイを設置し、ＵＳＢ／ＩＰを用いてゲートウェイのＵＳＢドングルをサーバへ割り当てる方式が提案されている。
【０００５】
これにより、サーバからは、あたかも自身にＵＳＢドングルが接続され、そのＵＳＢドングルと接続可能な距離に無線端末が存在するように見え、また、サーバ上で動作するアプリケーションからはＵＳＢ／ＩＰで中継されていることを意識する必要がなく、従来どおりのＡＰＩを利用したプログラムが記述可能である。
【先行技術文献】
【非特許文献】
【０００６】
【非特許文献１】「Ｍ２Ｍエリアネットワークの仮想化に関する検討」  電子情報通信学会  信学技法１１５（４５）
【発明の概要】
【発明が解決しようとする課題】
【０００７】
前述した非特許文献１のシステムでは、アクセスポイントとなるＵＳＢドングルとサーバは、ペアで管理されるため、あるアクセスポイントへ同時に接続可能なサーバ数は、１つのみとなる。そのため、アクセスポイントとサーバは、常に１対１という制約が生じ、あるゲートウェイ配下に存在する無線端末は、すべて同一のサーバ内でしか利用できない。
【０００８】
そこで本発明は、ゲートウェイ配下にある複数の無線端末において、無線端末単位でサーバへの割当てを可能とする無線端末接続管理方法及びその管理装置を提供することを目的とする。
【課題を解決するための手段】
【０００９】
上記目的を達成するために、本発明に従う第１の形態は、ネットワークを構築する複数のサーバの少なくとも１つに接続され、下位の複数の無線端末に接続可能なゲートウェイを備え、該ゲートウェイにおけるアクセスポイント機能の一部を前記サーバへ仮想化する管理方法であって、１つの物理的なアクセスポイント配下に存在する前記無線端末に対して、無線端末単位で前記サーバに割り当てて接続する無線端末接続管理方法を提供する。
【００１０】
第２の形態は、前記複数のサーバのうちの第１のサーバに接続するゲートウェイが、利用する前記無線端末に関する信号を、前記物理的なアクセスポイントで行われる通信からフックした際に、前記物理的なアクセスポイントの他に、他のサーバに接続可能な仮想化したアクセスポイントを設け、前記他の無線端末への接続を無線端末単位で前記他のサーバに割り当てて接続する無線端末接続管理方法を提供する。
【００１１】
第３の形態は、前記複数のサーバのうちの第１のサーバが利用したい無線端末に対し、利用するタイミングに合わせて、前記物理的なアクセスポイントで情報の通信を時分割で切断又は接続を行う無線端末接続管理方法を提供する。
【００１２】
第４の形態は、複数のサーバにより構築されるネットワークに接続する第１のサーバと、前記第１のサーバに接続され、１つの物理的なアクセスポイントを有するゲートウェイと、前記ゲートウェイの前記物理的なアクセスポイント配下に存在し、固有の情報を発信する複数の無線端末と、を備え、さらに、前記第１のサーバ内に格納されるアプリケーションによって指定された通信先となる無線端末を申告する申告部と、前記ゲートウェイ内に設けられ、前記申告部から受けた指定された前記無線端末から前記固有な情報を、前記複数のサーバの何れかに通信するための仮想的なアクセスポイントとなる仮想無線アンテナ部を設ける管理部と、を具備し、前記ゲートウェイによる前記複数の無線端末への接続が、無線端末単位で割り当てて接続する無線端末接続管理システムを提供する。
【００１３】
第５の形態は、複数のサーバにより構築されるネットワークに接続する第１のサーバと、前記複数のサーバに接続可能で、１つの物理的なアクセスポイントを有するゲートウェイと、前記ゲートウェイの前記物理的なアクセスポイント配下に存在し、固有の情報を発信する複数の無線端末と、を備え、さらに、前記第１のサーバ内に格納されるアプリケーションによって指定された無線端末を申告する申告部と、前記ゲートウェイ内に設けられ、前記第１のサーバを含む複数の無線端末の何れかに接続し、前記固有の情報を送信する通信部と、前記ゲートウェイ内に設けられ、前記申告部から受けた前記指定された無線端末を通知する管理部と、前記複数の無線端末からの通信信号を受けた際に、前記物理的なアクセスポイントを時分割で利用して、前記複数のサーバへ切り替えて送信する接続先切替部と、を具備し、前記ゲートウェイによる前記複数の無線端末への接続が、無線端末単位で割り当てて接続する無線端末接続管理システムを提供する。
【発明の効果】
【００１４】
本発明の第１の形態によれば、ゲートウェイ配下にある複数の無線端末において、アクセスポイントとサーバ間における、１対１という制約が取り除かれて、同一アクセスポイント配下にある複数の無線端末を他の各サーバに対して、無線端末の単位で割り当てることが可能となる。  
第２の形態によれば、物理的なアクセスポイントにおいて、無線端末からの通信がフックした際に、新たに他のサーバに接続可能な仮想化したアクセスポイントを設けることができる。
【００１５】
第３の形態によれば、サーバが無線端末を利用するタイミングの際に、アクセスポイントにより接続先となる他のサーバに時間的に切り替えて、他のサーバに無線端末の処理を代行させることで、複数のサーバが１つの物理的なアクセスポイントであるドングルを時分割で共有して利用することが可能となる。
【００１６】
第４の形態によれば、ゲートウェイ配下にある複数の無線端末において、アクセスポイントとサーバ間における、１対１という制約が取り除かれて、同一アクセスポイント配下にある複数の無線端末を他の各サーバに対して、無線端末の単位で割り当てることが可能となる。
【００１７】
第５の形態によれば、サーバが無線端末を利用するタイミングの際に、アクセスポイントにより接続先となる他のサーバに時間的に切り替えて、他のサーバに無線端末の処理を代行させることで、複数のサーバが１つの物理的なアクセスポイントであるドングルを時分割で共有して利用することが可能となる。
【図面の簡単な説明】
【００１８】
【図１】図１は、本発明の第１の実施形態に係る無線端末接続管理システムの概念的な構成を示す図である。
【図２】図２は、第１の実施形態に係る無線端末接続管理システムの一構成例を示す図である。
【図３】図３は、本発明の第２の実施形態に係る無線端末接続管理システムの概念的な構成を示す図である。
【図４】図４は、第２の実施形態に係る無線端末接続管理システムの一構成例を示す図である。
【発明を実施するための形態】
【００１９】
以下、図面を参照して本発明の実施形態について詳細に説明する。  
図１は、本発明の第１の実施形態に係る無線端末接続管理システムの概念的な構成を示す図である。
【００２０】
本実施形態の無線端末接続管理システム１（以下、管理システムと称する）は、インターネット等のネットワーク３３を構築する複数のサーバ２（２ａ，２ｂ）と、少なくとも１つのサーバ２に接続されるゲートウェイ３と、ゲートウェイ３の下位（又は、配下）に接続する複数の無線端末４（４ａ〜４ｍ）と、で構成される。また、ネットワーク３３上には、他に複数のサーバ２ｂも接続されている。無線端末接続管理システム１は、複数のサーバ２を通じて、ユーザ端末（例えば、スマートフォン等の移動端末など）３２からのアクセス及び設定により、無線端末４を搭載する機器に関する情報発信の管理実施が起動するものとする。
【００２１】
また、図１においては、２つのサーバ２ａ、２ｂを代表的に記載しているが、これに限定されるものではなく、本実施形態の管理システムは、２つ以上のサーバを対象として適用することができる。  
本実施形態におけるゲートウェイ３は、インターネットに接続して通信が可能である。また、このゲートウェイ３は全てのサーバ２に設ける必要は無く、本実施形態の管理を行う場合に設けられるものであり、以下の説明において、サーバ［第１のサーバ］２ａにおいては、ゲートウェイ３を設けることは必須ではあるが、通信が可能であれば、サーバ［他のサーバ］２ｂにおいては、ゲートウェイ３を設けることは必須ではない。
【００２２】
本実施形態の管理システム１は、サーバ２側からアプリケーション１１が利用する複数の無線端末４をゲートウェイ３に申告し、仮想的したアクセスポイントを新たに設けて、無線端末４とアプリケーション１１を紐づける、即ち、ゲートウェイ３側で他のサーバ２ｂに振り分ける管理を行う。
【００２３】
サーバ２ａは、少なくともアプリケーション１１と、プロトコルスタック１２と、通信部１３と、申告部１４と、を備えている。通信部１３は、ネットワーク３３との通信機能を有しており、ユーザ端末３２と通信することが可能である。プロトコルスタック１２及び通信部１３は公知な構成部位である。また、サーバ２ｂは、サーバ２ａと同等な構成が好ましいが、少なくともアプリケーション１１と、プロトコルスタック１２と、ネットワーク３３との通信機能を有しており、サーバ２ａ及びユーザ端末３２と通信することが可能な通信部１３と、を備えている。
【００２４】
ゲートウェイ３は、サーバ２ａの通信部１３と通信する通信部２１と、仮想無線アンテナ部２３と、振り分け部２５と、無線アンテナ部２２と、管理部２４とを備えている。これらの無線端末４は、例えば、家電機器、撮像機器、建築物、車両、監視機器、製造機器及び測量／検査機器等の多種多様の機器に搭載される。それぞれの無線端末４内には、搭載している機器から取得したユーザが所望する固有な情報等を無線アンテナ部２２に無線通信する通信部３１が設けられている。搭載される機器の情報等は、少なくとも、画像情報（撮影画像等）、数値を含むデータ及び予め設定した用語を含む文字情報を、単体又は、これらの組み合わせにより構成される。
【００２５】
サーバ２ａに設けられるプロトコルスタック１２及び通信部１３と、ゲートウェイ３に設けられる通信部２１及び仮想無線アンテナ部２３により、アクセスポイント部１５［物理的なアクセスポイント］が形成されている。
【００２６】
サーバ２ａの申告部１４は、サーバ２ａに格納されるアプリケーション１１が利用したい無線端末４をゲートウェイ３の管理部２４に事前に申告する。管理部２４は、申告を受けて、予め登録されている複数の無線端末４のうちのサーバ２ａから指定された無線端末４からの通信信号（例えば、ＵＳＢ信号）をフックするように振り分け部２５に通知する。このフックされる通信信号は、複数の無線端末４が送信する情報の処理が同時期に重畳しないように、無線端末４を特定又は識別するために利用される。
【００２７】
振り分け部２５は、管理部２４からフックするように指定された通信信号を受けると、新たな仮想的なアクセスポイント、即ち図１に示す新たな仮想無線アンテナ部２６を設けて、使用中ではなく且つ処理に最適なサーバ２ｂを選択して接続し、サーバ２ａの代行ができるように設定する。この仮想無線アンテナ部２６は、概念的なものであり、ネットワーク３３と通信可能に構成されているものとする。振り分け部２５は、仮想的なアクセスポイントを設けて、他のサーバ端末２ｂに処理を代行させる。
【００２８】
即ち、サーバ２ａが無線端末４ａと通信を行っている状況下で、アプリケーション１１に従う申告部１４は、管理部２４に対して、フックすべき通信信号を指定する。  この仮想的なアクセスポイントは、アプリケーション１１における処理結果をサーバ２ｂを通じて、ユーザ端末３２に送信する。この仮想的なアクセスポイントは、通信状況によって、複数個設定することができ、また無線端末４ｃによる通信が完了した後には、消滅させることができる。これにより、サーバ２ａが無線端末４ａと通信中であっても、無線端末４ｃは、アプリケーション１１に従い、その他のサーバ２ｂへ情報を送信する。
【００２９】
以上のように本実施形態は、サーバ２ａ上のアプリケーション１１が利用する無線端末４をゲートウェイ３へ事前に申告し、申告を受けたゲートウェイ３では、サーバ２ａが利用したい複数の無線端末４毎に、仮想的なアクセスポイントを開設して、他のサーバ２ｂ等へ接続可能にする。  
よって、１つの物理的なアクセスポイント配下に存在する複数の無線端末２に対して、仮想的なアクセスポイントを作ることにより、他のサーバを通じて、ユーザ端末に提供することが可能となる。
【００３０】
本実施形態によれば、アクセスポイントとサーバ間における、１対１という制約が取り除かれて、同一アクセスポイント配下にある複数の無線端末を他の各サーバに対して、無線端末の単位で割り当てることが可能となる。さらに、本実施形態では、ユーザ毎にサーバが割当てられる環境において、１つのアクセスポイントを利用して、複数のユーザ端末を同時に相乗り的にサポートすることが可能となり、設備コストの低下が見込める。
【００３１】
次に、第１の実施形態の無線端末接続管理システム１にBlutoothを適用した例について説明する。  
図２は、図１に示した構成の無線端末接続管理システム１に対して、実際に構築する通信手段として、Blutoothを利用し、アクセスポイントとしてＵＳＢドングル無線アンテナとBlutoothソフトウェアスタックを利用する構成例について説明する。本実施形態は、ＵＳＢドングルを利用することから、前述した非特許文献１と同様に、サーバとゲートウェイ間においてUSB/IPを用いてゲートウェイのＵＳＢドングルをサーバへ割り当てる。
【００３２】
図２に示すように、サーバ２ａは、アプリケーション１１と、プロトコルスタックとして機能するBluez４２と、通信部として機能するUSB/IP４３と、申告部１４とで構成される。また、ゲートウェイ３は、通信部となるUSB/IP４４と、仮想無線アンテナ部として機能する仮想USBドングル４５と、振り分け部として機能するUSBパケット振分部４６と、無線アンテナ部として機能するUSBドングル４７，４８と、管理部２４とで構成される。この例では、Bluez４２と、USB/IP４３と、USB/IP４４とでアクセスポイント部１５が形成される。  
このシステム構成において、サーバ２ａは、自身が利用したい無線端末４を申告部１４を通じて、ゲートウェイ３の管理部２４へ送信する。管理部２４は、申告に基づき、その無線端末４のUSB信号をフックするようUSBパケット振分部４６へ指令を出す。
【００３３】
USBパケット振分部４６では、物理的な実体を有するUSBドングル４７のUSB信号のうち、管理部２４より指令された無線端末４に関する信号をフックし、仮想USBドングル４８を生成する。サーバ２は、生成された仮想USBドングル４８に対して、接続を行うことで自身が利用したい無線端末４を指定することが可能となる。サーバ２が利用する複数の無線端末４毎に、仮想的なアクセスポイントを生成し、これを用いることで、アクセスポイント単位ではなく、無線端末単位での接続管理を行うことができる。このシステム構成によれば、前述した第１の実施形態と同等の作用効果を得ることができる。
【００３４】
次に、第２の実施形態について説明する。図３は、第２の実施形態に係る無線端末接続管理システムの概念的な構成を示す図である。本実施形態の構成部位で、前述した第１の実施形態と同等の構成部位には同じ参照符号を付してその詳細な説明は省略する。また、図３においては、２つのサーバ２ａ，２ｂを代表的に記載しているが、これに限定されるものではなく、本実施形態の管理システムは、２つ以上のサーバで適用することができる。
【００３５】
本実施形態の無線端末接続管理システムは、アクセスポイントを時間的にサーバへ割り当てる無線端末接続管理システムである。  
複数のサーバ２ａ，２ｂのそれぞれは、前述した第１の実施形態と同様に、アプリケーション１１と、プロトコルスタック１２と、通信部１３と、申告部１４と、を備えている。プロトコルスタック１２及び通信部１３は公知な構成部位である。
【００３６】
ゲートウェイ３は、サーバ２の通信部１３と通信する通信部２１と、無線アンテナ部２２と、管理部２４と、接続先切替部２７とを備えている。これらの無線端末４は、第１の実施形態と同等であり、搭載される機器から取得したユーザが所望する情報等を無線アンテナ部２２に無線通信する通信部３１を有している。
【００３７】
サーバ２に設けられるプロトコルスタック１２及び通信部１３と、ゲートウェイ３に設けられる通信部２１及び無線アンテナ部２２により、アクセスポイント部１５が形成されている。  
本実施形態では、複数のサーバ２が無線端末４を利用するタイミングに合わせて、時分割方式により、利用するそれぞれの無線端末４に対して、USBドングルを割り当てて通信を行うことで、１つの物理USBドングルを、複数のサーバ２で共用する。
【００３８】
ここで、サーバ２ａは、無線端末４ａと通信しているものと仮定する。サーバ２ａは、自身が利用したい無線端末４（例えば、無線端末４ｂ）を申告部１４からゲートウェイ３の管理部２４へ申告する。管理部２４では、サーバ２ａが無線端末４ｂを利用するタイミングに合わせて接続先切替部２７へ、接続先となる他のサーバ２ｂのサーバ情報を送信する。この時、接続先切替部２７で実際にUSBドングルの切断・接続を実施する。尚、無線端末４を利用するタイミングについては、サーバ２ａ側から申告部１４を通して通知してもよいし、又は、無線端末４の挙動、例えば、周期的に情報例えば、センサデータを送信する無線端末４であれば、その送信タイミングを予め設定し保持してもよい。
【００３９】
従って本実施形態は、サーバ２ａが無線端末４ｂを利用するタイミングの際に、アクセスポイントにより接続先となるサーバ２ｂに時間的に切り替えて、サーバ２ｂに無線端末４ｂの処理を代行させることで、複数のサーバが１つの物理的なアクセスポイントであるドングルを時分割で共有して利用することが可能となる。
【００４０】
次に、第２の実施形態の無線端末接続管理システム１にBlutoothを適用した例について説明する。図４は、図３に示した構成の無線端末接続管理システム１に対して、実際に構築する通信手段として、Blutoothを利用した構成例について説明する。
【００４１】
図４に示すように、サーバ２は、アプリケーション１１と、プロトコルスタックとして機能するBluez４２と、通信部として機能するUSB/IP４３と、申告部１４とで構成される。また、ゲートウェイ３は、通信部となるUSB/IP４４と、無線アンテナ部として機能するBlutooth USBドングル４９と、管理部２４と、接続先切替部２７とで構成される。この例では、Bluez４２と、USB/IP４３，４４とでアクセスポイント部１５が形成される。
【００４２】
前述した第２の実施形態と同様に、サーバ２ａは、無線端末４ａと通信しているものと仮定する。サーバ２ａは、アプリケーション１１に従い利用したい無線端末４（例えば、無線端末４ｂ）を申告部１４からゲートウェイ３の管理部２４へ申告する。管理部２４では、サーバ２ａが無線端末４ｂを利用するタイミングに合わせて通信が重畳しないように、接続先切替部２７へ別の接続先となる他のサーバ２ｂのサーバ情報を送信する。この時、接続先切替部２７で実際にUSBドングルの切断・接続が実施される。
【００４３】
無線端末４ｂから読み出された情報は、通信部３１からBlutooth USBドングル４９を経てUSB/IP４４を送信される。さらに、その情報は、接続先切替部２７の指示により、USB/IP４４からサーバ２ｂに送信される。
【００４４】
本適用例においても、前述した第２の実施形態と同様に、複数のサーバ２で構成されるネットワークにおいて、あるサーバ２ａが無線端末４ａを利用するタイミングに合わせて、時分割方式により利用する無線端末４ｂに対して、USBドングルを割り当てて他のサーバ２ｂへ通信を行うことで、１つの物理USBドングルを、複数のサーバ２で共用する。
【００４５】
以上のことから、本適用例のサーバ２ａは、無線端末４ｂを利用するタイミングの際に、アクセスポイントの接続先となるサーバ２ｂに時間的に切り替えて、サーバ２ｂに無線端末４ｂの処理を代行させることで、複数のサーバが１つのドングルを時分割で共有して利用することができる。
【００４６】
さらに、前述した第１及び第２の実施形態における無線端末管理方法は、コンピュータに実行させるコンピュータプログラムとして構築することができる。コンピュータプログラムを用いることにより、簡易に実施することができる。  
なお、本発明は上記実施形態に限定されるものではなく、発明の要旨を逸脱しない範囲で種々変形して実施可能である。本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４７】
１…無線端末接続管理システム（管理システム）、２，２ａ，２ｂ…サーバ、３…ゲートウェイ、４，４ａ，４ｂ，４ｃ…無線端末、５…サーバ、１１…アプリケーション、１２…プロトコルスタック、１３，２１…通信部、１４…申告部、１５…アクセスポイント部、２２…無線アンテナ部、２３，２６…仮想無線アンテナ部、２４…管理部、２５…振り分け部、２７…接続先切替部、３１…通信部、４５…ドングル、４６…パケットス振分部、４７，４８，４９…ドングル。
【図１】
2018042135.tif 000003
【図２】
2018042135.tif 000004
【図３】
2018042135.tif 000005
【図４】
2018042135.tif 000006